(57)【要約】      （修正有）【課題】製本されまたは綴じられたページの束を一枚一枚めくるための、装置を提供する。【解決手段】特に楽譜の本１における製本されまたは綴じられたページの束のうちの一ページを持ち上げるための装置１２は、少なくとも一つの持ち上げエレメントのための駆動装置１５と、前記ページのための支持面４とを有している。前記少なくとも一つの持ち上げエレメントは、駆動シャフト１９についての回転動作にて、該駆動シャフトを経由する該駆動装置によって、駆動される。前記駆動装置は、支持面の平面に関して鋭角αを囲む少なくとも一つの回転の軸１７のまわりで旋回され得るように取り付けられている。【選択図】図２
2006076294.tif 000002
【特許請求の範囲】
【請求項１】
めくられるべきページを支持するための支持面を有する支持体と、
駆動シャフトについての回転動作にて駆動可能に取り付けられた持ち上げエレメントと、
前記駆動シャフトを介しての回転動作にて前記持ち上げエレメントを駆動するために前記駆動シャフトに関連する駆動装置であって、前記支持面の平面に関して鋭角αを囲む少なくとも一つの回転の軸のまわりで旋回可能として取り付けられている駆動装置と、
を具備するページの束のうちの一ページを持ち上げるための装置。
【請求項２】
前記駆動シャフトを貫通する中心軸は、前記回転の軸と共に鋭角βを囲み、該角度βは、前記駆動シャフトに面している請求項１に記載の装置。
【請求項３】
前記支持面の平面上への前記駆動シャフトの中心軸の垂直平行投影は、ページの束の綴じに対して直角をなして延びるページの縁部と共に鋭角γを囲み、前記駆動シャフトは、前記綴じから離れる方向に向いている請求項１に記載の装置。
【請求項４】
前記角度αは、５０°と７０°の間の値を有している請求項１に記載の装置。
【請求項５】
前記角度βは、４５°と９０°の間の値を有している請求項２に記載の装置。
【請求項６】
前記角度βは、７５°±５°の値を有している請求項２に記載の装置。
【請求項７】
前記角度γは、１５°から４５°の値を有している請求項３に記載の装置。
【請求項８】
前記持ち上げエレメントは、めくられるべきページのコーナ領域に作用すべく配置されている請求項１に記載の装置。
【請求項９】
前記少なくとも一つの持ち上げエレメントは、前記駆動シャフトと一体化されて単一体に形成されている請求項１に記載の装置。
【請求項１０】
前記少なくとも一つの持ち上げエレメントは、プラグイン結合またはネジ結合を介して前記駆動シャフトに結合されている請求項１に記載の装置。
【請求項１１】
前記少なくとも一つの持ち上げエレメントにおけるエンドピースを備え、前記エンドピースは、ページと接触すべく配置されている請求項１に記載の装置。
【請求項１２】
前記エンドピースは、弾性材料からなる請求項１１に記載の装置。
【請求項１３】
前記エンドピースは、ページに関して高い摩擦係数を有する材料からなる請求項１１に記載の装置。
【請求項１４】
前記少なくとも一つの持ち上げエレメントは、弾性材料から製作されている請求項１に記載の装置。
【請求項１５】
少なくとも一つの復帰エレメントを備え、且つ前記駆動装置は、前記少なくとも一つの復帰エレメントの復帰力に対する旋回可能に取り付けられた対抗物である請求項１に記載の装置。
【請求項１６】
ページを持ち上げるための請求項１に従った装置と、
前記装置によって持ち上げられたページをめくるための少なくとも一つのページめくり装置と
を具備するページの束のページをめくるための装置。
【発明の詳細な説明】
【技術分野】
【０００１】
本発明は、製本されまたは綴じられたページの束の一枚一枚をめくるための、特に楽譜本のページをめくるための、装置に関する。前記装置は、少なくとも一つの持ち上げエレメントのための駆動装置とページのための支持面とを有する。
【背景技術】
【０００２】
このタイプの装置は、例えば本発明者（本出願人）のより早い時期の国際特許出願ＷＯ  ００／３５６８０公報（特許文献１）から、知られている。そこでは、本、楽譜の本およびそれに類似したもののページをめくるための装置が開示されており、該装置は、本、楽譜の本およびそれに類似したもののための支持台を有している。シャフトは、通常は支持台上に設けられ、二つのアームが、通常は、支持台に平行に且つ支持台からある距離に設置されるように、シャフト上に互いに対向して配置されて、前記シャフトに固定されている。駆動モータは、前記シャフトのために設けられ、且つ該シャフトの一側にページリフタが設けられており、第二のページリフタが、前記シャフトに関して対称的に設けられ、２つのページリフタは、シャフトのための駆動モータとは独立し且つ該モータによってシャフトが両回転方向に駆動されることが可能である少なくとも一つのモータが割り当てられている。
【０００３】
ドイツ国Ｇｅｂｒａｕｃｈｓｍｕｓｔｅｒ（実用新案）ＤＥ  ８０  ２８  ５６９  Ｕ（特許文献２）は、そのめくりスターラップ（Ｓｔｉｒｒｕｐ）が、めくり折り目について横切って、ページの束の初期厚みとページ起こし装置のストロークの間のある一定の距離で、机上を移動され得るページめくり装置を記述している。
【０００４】
これらの装置の不都合は、そのページがめくられるページの束の高さが連続的に減少し、且つ、その結果として、ページ持ち上げ装置によるページの束の最上部のページの信頼できる持ち上げがもはや保証されなくなるので、少数のページだけしか高い信頼性を持って且つ中断なしにめくることができないことである。
【特許文献１】国際特許出願ＷＯ  ００／３５６８０公報
【特許文献２】ドイツ国実用新案ＤＥ  ８０  ２８  ５６９  Ｕ公報
【発明の開示】
【発明が解決しようとする課題】
【０００５】
したがって、本発明の目的は、この一般的なタイプの以前に知られている装置および方法の上述された不都合を克服し、且つ高い信頼性を持って持ち上げられるべき製本によるページの束であって、いかなる所望の高さを有するページの束であってもそして装置は再調整される必要がなく、ページの束の最上部のページを許容する、ページリフタおよびページめくり装置を提供することである。
【課題を解決するための手段】
【０００６】
前述のそしてその他の目的を実現すべく、本発明によれば、
めくられるべきページを支持するための支持面を有する支持体と、
駆動シャフトについての回転動作にて駆動可能に取り付けられた持ち上げエレメントと、
前記駆動シャフトを介しての回転動作にて前記持ち上げエレメントを駆動するために前記駆動シャフトに関連する駆動装置を具備し、
前記駆動装置は、前記支持面の平面に関して鋭角αを囲む少なくとも一つの回転の軸のまわりで旋回可能として取り付けられている、
望ましくは製本されまたはルーズリーフ製本された本の、ページの束のうちの一ページを持ち上げるための装置が提供される。
【０００７】
換言すれば、本発明の目的は、駆動シャフトのまわりでの回転動作において駆動シャフトによって駆動され得る少なくとも一つの持ち上げエレメントを用いて達成され、そして前記駆動装置は、支持面の平面に関して鋭角ｆｆをなす少なくとも一つの回転の軸のまわりで旋回され得るように取り付けられている。
【０００８】
さらにまた、前記駆動シャフトを貫通する中心軸は、前記回転の軸と共に鋭角βを形成し、該角度βは、前記駆動シャフトに面している。前記支持面の平面上への前記駆動シャフトの中心軸の垂直平行投影は、綴じに対して直角をなして延びるページの縁部と共に鋭角γを形成し、前記駆動シャフトは、前記綴じから離れる方向に向いている。
【０００９】
この場合、鋭角という用語は、９０°よりも小さい値のあらゆる角度を示している。支持面に関しての、そしてそれゆえページの面に対しての、該装置の斜めの位置のために、ページは、高い信頼性を有してめくられ得る。
【００１０】
もしも角度αが５０°と７０°の間の値を有し、角度βが４５°と９０°の間の値、そしていま特に７５°±５°の値、を有し、および角度γが１５°から４５°の値を有していれば、特に有利であることが検証されている。
【００１１】
本発明の望ましい実施の形態においては、持ち上げエレメントは、ページのコーナ領域に作用する。上述されたような、装置の斜めの位置のために、持ち上げエレメントによるページの持ち上げは、指によるページめくりに対応する動作として行われる。
【００１２】
本発明の経済的な変形においては、少なくとも一つの持ち上げエレメントが、駆動シャフトと共に単一体をなしている。その他の実施の形態においては、少なくとも一つの持ち上げエレメントは、プラグインまたはネジ結合を介して駆動シャフトに結合されている。このことは、持ち上げエレメントが、もしも必要ならば簡単に交換され得るという利点を有している。
【００１３】
信頼できるページの持ち上げを確実にするために、前記少なくとも一つの持ち上げエレメントは、ページと接触するエンドピースを有している。
【００１４】
もしも前記エンドピースが、弾性材料から、そしてさらにまた、ページに関して高摩擦係数を有する材料からなれば、特に有利である。
【００１５】
さらなる実施の形態において、少なくとも一つの持ち上げエレメントは、弾性材料から製作されている。このことは、ページの束の高さに関して装置の高いレベルの柔軟性を提供する。
【００１６】
前記駆動装置は、少なくとも一つの復帰エレメントの復帰力に対して旋回可能に取り付けられた対抗物であり得て；結果として、該駆動装置の偏倚は制限され、そして前記エンドピースは、持ち上げられるべきページの表面への接触を維持している。それと同時に、前記復帰エレメント、例えばスティールスプリングは、ページ上への前記エンドピースによる接触圧力を規定する。
【発明の効果】
【００１７】
本発明は、本発明に従った装置を有するページの束のページをめくるための装置に、そしてまた、前記装置によって持ち上げられたページをめくるための少なくとも一つのページめくり装置において、費やした時間に相当する値打ちがあることが立証されている。
【００１８】
本発明についての特徴と考えられる他の特徴は、添付された特許請求の範囲の各請求項に述べられている。
【００１９】
本発明は、ここにページめくり装置における実施の形態として図解され且つ説明されているけれども、本発明の精神から逸脱することなく且つ特許請求の範囲の均等物の視野および範囲内である限り、種々の変形および構造的変更がそこになされても良いから、やはり、示された詳細に限定されることを意図してはいない。
【００２０】
本発明の構成および操作の方法は、しかしながら、その付加的な目的および利点と共に、添付図面と関連付けて読むときに、特定の実施の形態の次の記述から最もよく理解されるであろう。
【発明を実施するための最良の形態】
【００２１】
さて、特に、その図１Ａ〜図１Ｃについて、詳細に且つ最初に、図面の各図を参照すると、そこには、楽譜の本１のページをめくるための、本発明に従った装置の使用が示されている。この目的のために、楽譜の本１は、ハウジング３が固定されている机２上に配置される。
【００２２】
この目的のために、机２は、例えば、長方形の板として構成されている支持面４を有している。支持面は、考えられるいかなる形状をも有することができ；それは単に、本、練習曲集等を広げて配置することが可能となるようにすることが必要である。同様に、机２は、ハウジング３がそれに固定された、商業的に入手可能な譜面台によって形成されることもできる。
【００２３】
ハウジング３は、ページを持ち上げ且つ剥離するための装置および持ち上げられたページ６をめくるためのページめくり装置５に適応させる。ハウジング３内への電力供給は、電力供給のためのコンセント用プラグ７を経由して提供される。もちろん、前記装置は、再充電可能な電池パックのような電池または他のいかなる電源によって動作されても良いことが、理解されるであろう。ケーブルは、楽譜の本１のページがめくられるようにさせるスイッチングエレメント８にさらに結合される。例えば、スイッチは、フットスイッチまたはフットペダルである。
【００２４】
図解された実施の形態において、楽譜の本１のページは、フットスイッチ８を作動させることによってめくられる。まず、最初に、持ち上げエレメント１０が、楽譜の本１の最上部に位置され且つそれに属するページ６の底部右側のコーナ上でスピン動作にて作動する。持ち上げエレメント１０（図２）上に設置されているエンドピース１１は、シートつまりページ６が下方に存在するシートから分離されるようにするために、ページ６の底部右側のコーナを、楽譜の本１の折り目９の方向へ変位させる。同様に、持ち上げエレメント１０が異なる領域、望ましくはページ６の他のコーナまたは縁部に作用する本発明の実施の形態が可能である。
【００２５】
持ち上げられたページ６をめくるために、ページめくり装置５は、アーチ形のページ６の下に係合し、そして後者つまりページ６をめくる。ページめくり装置は、先行技術において充分に良く知られている。例えば、本出願人による上述された特許文献１（国際特許出願ＷＯ  ００／３５６８０）に開示されるような装置が、本発明と組み合わされて、製本によるページの束のページをめくるための装置として採用され得る。本発明のこの実施の形態において、ページめくり装置５は、（自動車の）フロントガラスのワイパと同様に、適正位置に配置された楽譜の本１の平面に平行に延びる旋回動作を実行するアームである。この動作は、持ち上げエレメント１０の回転動作と同期されている。
【００２６】
本発明の他の実施の形態においては、ページめくり装置５が、例えば、楽譜の本１の上側縁部の領域に設置される。
【００２７】
図２から図４は、概略的な形態で、ページ６を、持ち上げるため、すなわち剥離しまたは一枚にするための装置１２を示している。装置１２は、図２に図解されている、くさび状支持体１３およびベース１４を介してハウジング３に固定されている。駆動装置１５は、ホルダ１６を介して旋回可能に取り付けられており、駆動装置１５の回転の軸１７は、支持面４の平面と、望ましくは５０°と７０°の間に存在する、鋭角αをなして交差している。
【００２８】
駆動装置１５は、ギヤ付きモータまたはステッピングモータのような電気モータであり得る。本発明の他の変形においては、駆動装置１５は、ホルダ１６内に設置されず、直接的に旋回可能に取り付けられる。回転の軸１７、より正確には、支持体１３に対向する脚部の軸は、駆動シャフト１９の中心軸１８と共に、本発明の本実施の形態においては約７５°の角度βを囲んでいる。それゆえ、この実施の形態における中心軸１８は、支持面４の平面に平行に延びてはいない。
【００２９】
支持面４の平面への駆動シャフト１９の中心軸１８の垂直平行投影は、綴り９に対して直角に延びるページ６の縁部と共に鋭角γを形成し、駆動シャフト１９は、綴りから離れる方向へ向いている。角度γは、１５°と４５°の間の値を有していると都合が良い。
【００３０】
駆動シャフト１９は、固定的にまたはジョイントを介して、中心軸１８に沿って駆動装置１５に結合されている。駆動シャフト１９は、持ち上げエレメント１０によって付加されており、持ち上げエレメント１０は、図３に示されるように、駆動シャフト１９に対して角度δをなしている。この角度は、望ましくはδ＝１３５°である。
【００３１】
持ち上げエレメント１０は、望ましい実施の形態において、軟らかいゴムにから製作されているエンドピース１１をその端部に有している。これは、装置１２に高い信頼性にて、作られるべきページ６に関する持ち上げエレメント１０の間隔の訂正なしに、例えば、異なる厚みの楽譜の本の、ページをめくることを許容させる、高い弾力性を有している。同様に、ゴム材料は、例えば、紙またはプラスティックであっても良い、ページ６が作られている材料に関して高い摩擦係数を有している。
【００３２】
もしもエンドピース１１が、例えばネジまたはプラグイン結合によって、持ち上げエレメント１０に、固定されていれば、それは、取り外しができるために都合が良い。
【００３３】
本発明の他の変形においては、持ち上げエレメント１０は、弾性材料によって製作され、同時にエンドピース１１が、高い表面粗さを有する金属または同様にプラスティックから製作される。
【００３４】
図５は、ページ６を持ち上げ且つ剥離するときの、持ち上げエレメント１０および駆動装置１５の動作を図解している。駆動装置１５は、中心軸１８のまわりでの駆動シャフト１９の回転を実施させる。結果として、持ち上げエレメント１０は、一点鎖線で図示された、開始位置から、そのエンドピース１１と共に、実質的に円形通路状で反時計方向に、エンドピース１１がページ６に接触するまで、移動する。
【００３５】
ページ６の材料の抵抗のために、回転の軸１７上に旋回可能に取り付けられた駆動装置１５が、回転し、駆動装置１５が、抵抗に遭遇したとき、モータ出力が定義された最大出力まで増大されるように制御される。回転の軸１７のまわりでの駆動装置１５の最大回転は、スプリング２０によって制限される。スティールスプリングの代わりに、当該技術における熟達者に知られている他の復帰エレメントも使用され得る。このことは、エンドピース１１が、ページ６の材料にそれによって作用する圧力の安定化を達成する。
【００３６】
もしも、持ち上げエレメント１０が、さらに移動すると、エンドピース１１とページ６の間の摩擦力が、最上部のページ６と下に存在するページの束１の間のそれよりも高くなる。それゆえ、ページ６は、後者のページの束１から剥離される。
【００３７】
図１に図解されたページめくり装置５は、ページ６とページの束１の間で移動し、且つ楽譜の本の平面に平行に実行される動作においてページ６をめくる。
【００３８】
この時間の間に、駆動装置１５は、その初期位置に戻り、且つ、ページ６がページめくり装置５によって捕捉されるとすぐに、持ち上げエレメント１０が、開始位置にもう一度達するまで、反時計方向前方に向かって回転する。
【００３９】
ここに説明された本発明の実施の形態は、限定的な方法で考察されるべきではない。それは、練習曲集または本のページを持ち上げることに限定されるべきではなく；同様に、例えば通常、特にリングバインダにおいて、そうであるように、プラスティックのカバー内におけるページをめくるためにも適している。
【図面の簡単な説明】
【００４０】
【図１】図１Ａ〜図１Ｃは、ページを剥離し且つ持ち上げるために本発明に従った装置を利用して楽譜の本のための一体化されたページめくり装置を有する机または譜面台を示し、且つページめくり動作の概略的図解をも示している。
【図２】図２は、ハウジングの前面カバーなしの詳細な側面における、図１に示されたページを持ち上げ且つ剥離するための装置の切欠図である。
【図３】図３は、やはりハウジングの前面カバーが除去された前方からの詳細な図においての、図１に示されたページを持ち上げ且つ剥離するための装置の図である。
【図４】図４は、上方からの詳細な図においての、図１によるページを持ち上げ且つ剥離するための装置の同様の図である。
【図５】図５は、ページの持ち上げの間における図２〜図４の装置の動作シーケンスを図解している。
【符号の説明】
【００４１】
１  楽譜の本（ページの束）(NOT)
２  机（譜面台）(PUL) 
３  ハウジング(GEH)
４  支持面(AUF)
５  ページめくり装置(BWE)
６  ページ(BLA)
７  コンセント用プラグ(NET)
８  スイッチングエレメント(TAS)
９  折り目（綴り）(FAL)
１０  持ち上げエレメント(ANH)
１１  エンドピース(KUP)
１２  持ち上げる（剥離しまたは一枚にする）ための装置(VOR)
１３  くさび状支持体(KEI)
１４  ベース(SOL)
１５  駆動装置(MOT)
１６  ホルダ(HAL)
１７  回転の軸(DRE)
１８  中心軸(MIT)
１９  駆動シャフト(WEL)
２０  スプリング（復帰エレメント）(FED)
【図１】
2006076294.tif 000003
【図２】
2006076294.tif 000004
【図３】
2006076294.tif 000005
【図４】
2006076294.tif 000006
【図５】
2006076294.tif 000007